(57)【要約】【課題】慣れない子供や大人であっても、時間を掛けずに上手く撹伴混合ができるようにしたカクテルシェーカーを提供する。【解決手段】容器本体１と該容器本体１に着脱自在に被着される蓋体２とを備え、前記容器本体１の内周側面は連続する複数の平坦面５群からなり、これら隣り合う両平坦面５の連接部位６は内側が凹型となるように成形され、液体飲料Ｗが収容された前記容器本体１を振ったとき前記連接部位６により前記各平坦面５に沿った前記液体飲料Ｗの流れ方向が変わるようにした構成からなる。これにより、液体飲料Ｗが複雑に掻き回され、上手く撹伴混合されたカクテルが作れるようになる。【選択図】図３
2005204943.tif 000002
【特許請求の範囲】
【請求項１】
容器本体と該容器本体に着脱自在に被着される蓋体とを備え、前記容器本体の内周側面は連続する複数の平坦面群からなり、これら隣り合う両平坦面の連接部位は内側が凹型となるように成形され、液体飲料が収容された前記容器本体を振ったとき前記連接部位により前記各平坦面に沿った前記液体飲料の流れ方向が変わるようにしたことを特徴とするカクテルシェーカー。
【請求項２】
前記容器本体と蓋体とが合成樹脂原料にマイナスイオンを発生する粉末物質を混合して成形される請求項１記載のカクテルシェーカー。
【発明の詳細な説明】
【技術分野】
【０００１】
本発明は、種類の異なる液体飲料同士または茶や各種ジュースのもとなどの粉末と液体飲料とを撹伴混合するために使用されるカクテルシェーカーに関するものである。
【背景技術】
【０００２】
従来、ウイスキーやブランデーなどの洋酒にリキュール類、果汁、氷片などを加え、振り混ぜてカクテルを作るときにカクテルシェーカーが使用される。このカクテルシェーカーは、例えば、金属製であって周側壁が太鼓の胴部のように外側へ弧状に膨出し平面断面が円輪郭となるように成形される容器本体と、該容器本体の注ぎ口に嵌着される中蓋と、該中蓋の外側に被せられるキャップとからなっている（例えば、特許文献１参照。）。
【特許文献１】実用新案登録第３０６９９０１号公報（第４頁、図１）
【発明の開示】
【発明が解決しようとする課題】
【０００３】
前記特許文献１のカクテルシェーカーは、通常、バーまたはキャバレーなどの酒場でバーテンダーが客の要望に合わせた洋酒のカクテルを作るときなどに使用されているが、近時、健康食品の発達と共に一般家庭内でも使用される場合が増えている。例えば、大麦若葉の入ったジュースを作るために、水と氷片と大麦若葉の粉末をカクテルシェーカーに入れて振り混ぜ、でき上がったカクテルをコップに注いで飲むようにしている。この場合、カクテルシェーカーを振ることに慣れていない一般家庭の子供や大人では、上手くカクテルを撹伴混合させるための振り方がよく解らず、専ら手前勝手に振るようにしている。
【０００４】
ところで、カクテルシェーカーは周側壁が太鼓の胴部のように外側へ弧状に膨出しており、その内周面も同じく弧面に成形されている。また、前記のようにその中に水、氷片と共に大麦若葉の粉末を入れて振り混ぜる状態では、カクテルシェーカーは機械的かつ直線的に振られるというよりもほとんど円弧状の軌跡に沿って振られる。このため、内部のカクテルは前記カクテルシェーカーの内周面に沿って円周方向へ流れる傾向にある。そこで、カクテルが全体的に円周方向に沿って流れると、あたかも水と氷片とが一緒になって回転しているような状態が起き、上手く撹伴混合できなかったり、できても時間が掛かるなどカクテルシェーカーを使いこなせてないのが現状である。
【０００５】
そこで、本発明は上記課題を解決すべくなされたもので、慣れない子供や大人であっても、時間を掛けずに上手く撹伴混合ができるようにしたカクテルシェーカーを提供することを目的とするものである。
【課題を解決するための手段】
【０００６】
かかる目的を達成するため、本発明に係るカクテルシェーカーは、容器本体と該容器本体に着脱自在に被着される蓋体とを備え、前記容器本体の内周側面は連続する複数の平坦面群からなり、これら隣り合う両平坦面の連接部位は内側が凹型となるように成形され、液体飲料が収容された前記容器本体を振ったとき前記連接部位により前記各平坦面に沿った前記液体飲料の流れ方向が変わるようにした構成からなる。
【０００７】
この際、前記容器本体と蓋体とが合成樹脂原料にマイナスイオンを発生する粉末物質を混合して成形されることが好ましい。
【発明の効果】
【０００８】
本発明に係るカクテルシェーカーは、容器本体の内周側面が連続する複数の平坦面群からなり、これら隣り合う両平坦面の連接部位は内側が凹型となるように成形されている。よって、液体飲料が収容された容器本体を振ったとき、前記連接部位で前記各平坦面に沿った液体飲料の流れ方向が変えられ、液体飲料が複雑に掻き回されることとなる。これにより、慣れない子供や大人であっても短時間で上手く撹伴混合されたカクテルが作れるという効果がある。
【０００９】
また、前記容器本体と蓋体とを合成樹脂原料にマイナスイオンが発生する粉末物質を混合して成形すれば、そのマイナスイオンがカクテルシェーカー内のカクテルに作用して旨味を保持し、そのカクテルを常に美味しく飲むことができるという効果がある。
【発明を実施するための最良の形態】
【００１０】
以下、本発明に係るカクテルシェーカーの実施の形態を図面に基づき説明する。図１はカクテルシェーカーの分解斜視図、図２は同縦断側面図である。このカクテルシェーカーＡは、例えば合成樹脂材により成形され半透明であって、容器本体１と該容器本体１に着脱自在に被着される蓋体２とからなる。
【００１１】
さらに詳しく説明すると、前記容器本体１は上面が開口３すると共に側壁１ａが下方に進むに従い漏斗状に窄まっており、その外周面の一側には計量するためにその軸線方向に沿って５０ｍｌ、１００ｍｌ、１５０ｍｌ、２００ｍｌの順に目盛り４が浮き立たせるようにして設けられている。
【００１２】
そして、前記容器本体１の内周側面は連続する複数の平坦面５群からなる。この場合、各平坦面５は容器本体１の中心軸線に沿って設けられ平坦面５群の平面断面が正六角形をしている。この内、隣り合う両平坦面５，５の連接部位６は内側が凹型となるように成形される。本発明にあっては、本発明の効果が得られる範囲で、前記平面断面が例えば正四角形、正五角形、正七角形、正八角形などの他の多角形であっても良く、更に前記条件を満たす限り他の形状であっても良い。前記容器本体１の上端外周面には環状凸部７が突設されている。
【００１３】
一方、蓋体２は椀を上下逆にした形状をなし、下端面が開放され中央の上端面に上方へ突出する筒部８が設けられている。この筒部８の先端に注ぎ口９が開設され、該注ぎ口９に開閉自在なキャップ１０が被着される。また、蓋体２の下端外周面に前記環状凸部７が嵌合する同じ輪郭の環状凹部１１が設けられている。
【００１４】
本発明に係るカクテルシェーカーＡは上記構成からなり、例えば蓋体２を取って開口３を開け容器本体１内に液体飲料である冷えた水Ｗと氷Ｉを所定量入れ、更にその中に大麦若葉の粉末を所定量入れる。そして、蓋体２で開口３を閉め、更に注ぎ口９にキャップ１０を被着する。この状態で、カクテルシェーカーＡを両手で持ち、容器本体１に蓋体２、蓋体２にキャップ１０をそれぞれ密に押し付けたまま上下に振る。このとき、カクテルシェーカーＡ内の水Ｗと数個の氷片Ｉは、容器本体１の中心線方向に沿って往復動すると共に容器本体１内周の各平坦面５により中心線回りにも移動する。
【００１５】
そこで、本発明は前記容器本体１の内周面が連続する複数の平坦面５，５群からなり、これら隣り合う両平坦面５，５の連接部位６は内側が凹型となるように成形されている。よって、図３に示すように各平坦面５に沿って移動する水Ｗは前記連接部位６でその流れ方向が変えられ、水Ｗが複雑に掻き回されることとなる。また、氷片ＩはカクテルシェーカーＡを振っている途中で各平坦面５に当たる。該各平坦面５に当たった氷片Ｉは、該各平坦面５に対してある方向へ斜めに跳ね返され、また、他の平坦面５に当たって同様に他の方向へ跳ね返される。このように平坦面５により氷片Ｉが絶えず不規則な方向へ跳ね返され、円弧面のように内周面に沿って移動するようなことが少なく、これにより撹伴効果が向上することになる。仮に、容器本体の内周面が円弧面に成形されていると、氷片Ｉがその内周面に沿って移動し、これに伴い水Ｗも共に移動し易く、所謂供回りが起きて撹伴効果が薄れることになる。
【００１６】
このように、容器本体１の内周面には複数の平坦面５が設けられていることから、水Ｗや氷片Ｉが複雑に掻き回されることになって、慣れない子供や大人であっても短時間で上手く撹伴混合されたカクテルを作ることができる。また、前記環状凹部１１には環状凸部７がしっかりと嵌合するので、カクテルシェーカーＡを振ってもそこから内部の水Ｗが漏れ出るようなことはない。カクテルが出来上がれば、これをグラスに注ぐが、氷片Ｉを必要としない場合は蓋体２を取り付けたままでキャップ１０を外し、注ぎ口９から氷片Ｉを除いたカクテルを出す。また、氷片Ｉも必要する場合は、蓋体２を取り外し、開口３から氷片Ｉを含めたカクテルを出す。
【００１７】
本発明のカクテルシェーカーＡは、合成樹脂材により成形されるが、この合成樹脂原料にマイナスイオンを発生する粉末物質（図示せず。）を混合するようにしても良い。マイナスイオンを発生する粉末物質としては、天然鉱石の一種で電気石とも呼ばれているトルマリンがある。このトルマリンは、マイナスイオンの他に微弱電流、遠赤外線も発する性質がある。
【００１８】
本発明においては、トルマリンは微粒状に成形される。また、合成樹脂原料に対するトルマリンの混合比率は、適宜選択して決められるが、特に限定されるものではない。ただ、合成樹脂原料に対してあまり多量のトルマリンを混合しても効果は飽和してしまうことになるので、合成樹脂原料に対するトルマリン含有量は５〜１０重量％が好ましい。このように、カクテルシェーカーＡにトルマリンを含有させることにより、該トルマリンからマイナスイオンが発生し、これがカクテルシェーカー内のカクテルに作用して旨味を保持し、そのカクテルを常に美味しく飲むことができるようになる。
【００１９】
カクテルシェーカーＡをステンレスのような金属で成形するときは、その内周面に微粒状のトルマリンを混合した合成樹脂材をコーティングするようにしても良い。また、本発明に係るカクテルシェーカーは洋酒のカクテルや大麦若葉などの各種ジュースのカクテルのいずれを作る場合にも使用できること勿論である。
【図面の簡単な説明】
【００２０】
【図１】本発明に係るカクテルシェーカーの分解斜視図。
【図２】同側面断面図。
【図３】図２のＸ−Ｘ線断面図。
【符号の説明】
【００２１】
１        容器本体
２        蓋体
５        平坦面
６        連接部位
Ｗ        液体飲料（水）
Ａ        カクテルシェーカー
【図１】
2005204943.tif 000003
【図２】
2005204943.tif 000004
【図３】
2005204943.tif 000005